(57)【要約】【課題】暖房運転開始時に応じて適切な気流制御を行うことで、効率良く暖房運転を開始し、住空間のユーザに肌寒さを感じさせない空気調和機を提供することを目的とする。【解決手段】室内熱交換器２６４を通過した空気を送風するメインファン２６５と、メインファン２６５の両側の少なくとも一方に室内熱交換器２６４を通過させない空気を送風するサイドファンとを有する室内機２０と、圧縮機４３、室外熱交換器４４、室外ファン４６を有する室外機４０とを備え、冷凍回路で空調を行う空気調和機であって、メインファン２６５とサイドファンの動作を制御する室内機制御手段と、室内熱交換器２６４の温度を検出する室内熱交換器温度センサ６４とを備え、室内機制御手段は、暖房運転開始から室内熱交換器温度センサ６４により室内熱交換器２６４の温度が所定の温度に達するまでは、サイドファン２６６の動作を停止させる。【選択図】図２
2014173780.tif 000002
【特許請求の範囲】
【請求項１】
内部に熱交換器を備え、室内熱交換器を通過させた調和空気を送風するメインファンと、該メインファンの両側の少なくとも一方に熱交換器を通過させない室内空気を送風するサイドファンとを有する室内機と、圧縮機と、室外熱交換器と、室外ファンとを有する室外機とを備え、前記圧縮機、前記室外熱交換器、前記室内熱交換器が冷媒管によって接続された冷凍回路により空調を行う空気調和機であって、
前記室内機は、
室内熱交換器の温度を検出する室内熱交換器温度検出手段と、
前記メインファンと前記サイドファンの動作を制御する室内機制御手段と、
を更に備え、
前記室内機制御手段は、暖房運転開始から前記室内熱交換器温度検出手段によって検出された前記室内熱交換器が所定の温度に達するまでの間、前記サイドファンの動作を停止させることを特徴とする空気調和機。
【請求項２】
前記室内機は、
前記メインファンによる送風の風向を制御する風向制御手段を更に備え、
前記室内熱交換器温度検出手段によって検出された前記室内熱交換器の温度が暖気を吹出せる温度に達するまでの間、前記室内機制御手段は、前記メインファンの動作を停止させるか、または、動作させる場合には、前記風向制御手段により前記メインファンよりの送風を水平方向に吹出すようにすることを特徴とする請求項１に記載の空気調和機。
【発明の詳細な説明】
【技術分野】
【０００１】
本発明は、複数の吹出口から吹き出される気流の制御を行う空気調和機に関する。
【背景技術】
【０００２】
従来の空気調和機は、左右方向に長い熱交換器を通過した空気をクロスフローファンで送風し、その風向を上下、左右に変更するために、吹出口に上下風向板と左右風向板とが設けられている。
【０００３】
最近の空気調和機では、暖房運転開始時に室内熱交換器の温度を検出し、その検出温度が所定の温度に達するまでは、室内側ファンの運転を停止することが行われている（例えば、特許文献１参照）。
【先行技術文献】
【特許文献】
【０００４】
【特許文献１】実用新案登録第３０７４２６号公報
【発明の概要】
【発明が解決しようとする課題】
【０００５】
特許文献１の空気調和機は、暖房運転開始時の室内熱交換器がまだ暖まっていない状態で室内側ファンを運転すると、室内熱交換器を通過した冷たい空気を吹き出すため、室内側ファンの運転を停止させ、室内熱交換器の温度が所定の温度に達すると室内側ファンの運転を開始するものである。しかしながら、室内熱交換器を通過させた調和空気を吹き出す吹出口と熱交換器を通過させない室内空気を吹き出す吹出口をそれぞれ備え、吹き出される室内空気で空気調和機が設置された室内の空気を攪拌して効率良く空調する空気調和機を考えた場合、暖房運転開始時に室内熱交換器を通過させた調和空気のファンの運転を停止させても、室内熱交換器を通過させない室内空気を吹き出すことによって空気調和機が設置された部屋に居るユーザに肌寒さを感じさせてしまうという新たな課題が生じる。
【０００６】
本発明は、上記に鑑みてなされたものであって、吹出口を複数備えて少なくとも一方の吹出口からは熱交換器を通過させない室内空気を送風可能な空気調和機において、暖房運転を開始した時に、住空間に居るユーザに肌寒さを感じさせることのない空気調和機を提供することを目的とする。
【課題を解決するための手段】
【０００７】
上述した目的を達成するために、本発明の空気調和機は、内部に熱交換器を備え、室内熱交換器を通過させた調和空気を送風するメインファンと、該メインファンの両側の少なくとも一方に熱交換器を通過させない室内空気を送風するサイドファンとを有する室内機と、圧縮機と、室外熱交換器と、室外ファンとを有する室外機とを備え、前記圧縮機、前記室外熱交換器、前記室内熱交換器が冷媒管によって接続された冷凍回路により空調を行う空気調和機であって、前記室内機は、室内熱交換器の温度を検出する室内熱交換器温度検出手段と、前記メインファンと前記サイドファンの動作を制御する室内機制御手段と、を更に備え、前記室内機制御手段は、暖房運転開始から前記室内熱交換器温度検出手段によって検出された前記室内熱交換器が所定の温度に達するまでの間、前記サイドファンの動作を停止させることを特徴とする。
【０００８】
また、本発明の空気調和機は、前記室内機は、前記メインファンによる送風の風向を制御する風向制御手段を更に備え、前記室内熱交換器温度検出手段によって検出された前記室内熱交換器の温度が暖気を吹出せる温度に達するまでの間、前記室内機制御手段は、前記メインファンの動作を停止させるか、または、動作させる場合には、前記風向制御手段により前記メインファンよりの送風を水平方向に吹出すようにすることを特徴とする。
【発明の効果】
【０００９】
本発明の空気調和機によれば、室内熱交換器を通過させた室内空気を送風するメインファンと、メインファンの両側の少なくとも一方に熱交換器を通過させない室内空気を送風するサイドファンとを有する室内機で、暖房運転開始から室内熱交換器の温度が暖気を吹出せる所定の温度に達するまで、サイドファンの動作を停止させる。このため、空気調和機は、暖房運転開始時において室内熱交換器と室内空気とが十分に暖まっていない間は、室内空気を攪拌させるサイドファンの動作を停止して、ユーザに肌寒さを感じさせないようにすることができるという効果を奏する。また、室温の監視のためにメインファンを運転させる場合には、人７２に気流を当てないように送風を水平方向に吹き出させて肌寒さを感じさせないようにできる。
【図面の簡単な説明】
【００１０】
【図１】図１は、本発明の一実施例に係る空気調和機の室内機の外観斜視図である。
【図２】図２は、室内機および室外機における概略構成を示すブロック図である。
【図３】図３は、空気調和機の制御系を概略的に示すブロック図である。
【図４】図４は、暖房運転開始から室内熱交換器の温度が所定の温度に到達するまでのメインファンによる気流状態を示す空気調和機の斜視図である。
【図５−１】図５−１は、暖房運転開始から室内熱交換器の温度が所定の温度に到達した後にメインファンとサイドファンが連動して動作する気流状態を示す空気調和機の斜視図である。
【図５−２】図５−２は、図５−１のメインファン気流を正面に吹き出した場合の左右サイドファン気流の吹き出し角度を上から見た図である。
【図６】図６は、本発明の実施例に係る空気調和機の動作を説明するフローチャートである。
【発明を実施するための形態】
【００１１】
以下に、本発明にかかる空気調和機の実施例を図面に基づいて詳細に説明する。なお、この実施例によりこの発明が限定されるものではない。
【００１２】
図１は、本発明の一実施例に係る空気調和機の室内機の外観斜視図であり、図２は、室内機および室外機における概略構成を示すブロック図であり、図３は、空気調和機の室内機の制御系を概略的に示すブロック図である。
【００１３】
図１に示すように、本実施例に用いられる空気調和機の室内機２０は、本体ユニット２６３とその両側に左ファンユニット２６１と右ファンユニット２６２とを備える。室内機２０の本体ユニット２６３は、主筐体２７を備える。主筐体２７では、筐体本体２８に外装パネル２９が覆い被さる。筐体本体２８には、中央吹出口３０が形成される。外装パネル２９の上部には、図示しない吸込口が形成される。中央吹出口３０は、下向きに開口している。このような筐体本体２８は、例えば室内の壁面に固定することができる。その際、中央吹出口３０の前端３０ａは、後端３０ｂと比べると上方の位置に配置される。その結果、中央吹出口３０は、所定の傾斜角αで前上がりの姿勢に形成される。このような傾斜角αの働きで、気流は中央吹出口３０から床面に向かって下向きに吹き出すことができるだけでなく、床面に対して平行（水平方向）に吹き出すこともできる。
【００１４】
そして、中央吹出口３０には、風向制御手段として前後一対の上下風向板３１ａ、３１ｂが配置される。上下風向板３１ａ、３１ｂは、それぞれ水平軸線３２ａ、３２ｂ回りで回転することができる。回転に応じて上下風向板３１ａ、３１ｂは、中央吹出口３０を開閉することができる。
【００１５】
また、筐体本体２８の両側面には、個別に左ファンユニット２６１と右ファンユニット２６２が配置される。つまり、左ファンユニット２６１と右ファンユニット２６２は、筐体本体２８の側壁の外側に配置される。左ファンユニット２６１は、左サイドファン筐体３３１を備えており、左吹出口３４１が形成され、風向制御手段としてサイドファンの風向を左右に変える左右風向板３４１ａが配置されている。右ファンユニット２６２は、右サイドファン筐体３３２を備えており、右吹出口３４２が形成され、風向制御手段としての左右風向板３４２ａが配置されている。この左吹出口３４１と右吹出口３４２は、不図示の駆動機構によって水平軸線３５回りでそれぞれ回転させることで、風向制御手段としてサイドファンの風向を上下に変えられる。上記した水平軸線３２ａ、３２ｂと水平軸線３５とは、図１に示すように、相互に平行に延びている。筐体３３１と筐体３３２の側面には、サイドパネル３６が覆い被さる。このサイドパネル３６には、側面吸込口３７が形成される。側面吸込口３７は、図１に示すように、例えばスリット状の小開口を集合させて形成する。
【００１６】
本実施例にかかる空気調和機は、上記した室内機２０との間で無線による双方向通信により遠隔から運転操作が行えるリモコン１０を備えている。
【００１７】
本実施例にかかる空気調和機の室内機および室外機は、図２に示すように構成されている。上記した室内機２０の本体ユニット２６３内には、室内熱交換器２６４およびメインファン２６５が組み込まれる。メインファン２６５はクロスフローファンであって、回転によって気流を生成する。本体ユニット２６３には、メインファン２６５の働きにより室内空気が吸い込まれる。吸い込まれた室内空気は室内熱交換器２６４を通過することで冷媒と熱交換され、冷気または暖気が生成される。この室内熱交換器２６４を通り抜けた後の冷気または暖気の気流は、本体ユニット２６３の中央吹出口３０から吹き出され、メインファン気流３０１となる。また、室内熱交換器２６４を通り抜けた気流の流量は、クロスフローファンの回転数に応じて調整される。本実施例の室内熱交換器２６４には、室内熱交換器２６４の温度を検出する室内熱交換器温度検出手段としての室内熱交換器温度センサ６４が設置されている。
【００１８】
室外機４０の冷凍回路４１は、図２に示すように、四方弁４２、圧縮機４３、室外熱交換器４４、膨張弁４５、室外ファン４６、および冷媒管５０などで構成されている。例えば、冷凍回路４１で冷房運転が設定されると、四方弁４２は、第２口４２ｂおよび第３口４２ｃを相互に接続し、第１口４２ａおよび第４口４２ｄを相互に接続する。これにより、圧縮機４３の吐出管４３ｂから高温高圧の冷媒が室外熱交換器４４に供給される。冷媒は、室外熱交換器４４、膨張弁４５および室内熱交換器２６４を順番に流通する。室外熱交換器４４では、冷媒の熱エネルギーが外気に放出される。冷媒は、膨張弁４５で低圧まで減圧され、室内熱交換器２６４において周囲の空気から吸熱する。これにより生成された冷気は、メインファン２６５の働きで室内空間に流される。室内熱交換器２６４で吸熱した冷媒は、四方弁４２を介して圧縮機４３に戻される。
【００１９】
また、冷凍回路４１で暖房運転が設定されると、四方弁４２は、第２口４２ｂおよび第４口４２ｄを相互に接続し、第１口４２ａおよび第３口４２ｃを相互に接続する。これにより、圧縮機４３の吐出管４３ａから高温高圧の冷媒が室内熱交換器２６４に供給される。冷媒は、室内熱交換器２６４、膨張弁４５および室外熱交換器４４を順番に流通する。室内熱交換器２６４では、冷媒の熱エネルギーが周囲の空気に放出され、暖気が生成される。暖気は、メインファン２６５の働きで室内空間に吹き出される。冷媒は、膨張弁４５で低圧まで減圧され、室外熱交換器４４において周囲の空気から吸熱する。その後、冷媒は圧縮機４３に戻される。
【００２０】
また、本実施例にかかる空気調和機の左ファンユニット２６１および右ファンユニット２６２は、本体ユニット２６３とは独立して設けられる。左ファンユニット２６１および右ファンユニット２６２は、ファンユニットの内部に遠心送風機からなるサイドファン２６６と、サイドファン２６６から送出される気流を吹き出す左吹出口３４１および右吹出口３４２をそれぞれ備え、図１で説明した駆動機構により水平軸線３５回りに回転させると共に、左吹出口３４１および右吹出口３４２の左右風向板３４１ａ、３４２ａにより各吹出口から吹き出される空気の風向・風量を個別に制御することが可能となる。中央吹出口３０から吹き出される空気は、室内熱交換器２６４を通り抜けた冷気または暖気からなるメインファン気流３０１である。左吹出口３４１および右吹出口３４２から吹き出される左サイドファン気流３４１１と右サイドファン気流３４２１は、それぞれの側面吸込口３７から吸い込んだ室内空気をそのまま吹き出した気流である。
【００２１】
続いて、図３を用いて、本実施例の空気調和機の制御系について説明する。室内機制御手段としての制御ユニット２１は、冷暖房確立部２１１を備える。冷暖房確立部２１１は、図２に示す冷凍回路４１の動作を制御する。冷暖房確立部２１１の制御に応じて冷凍回路４１では冷房運転の動作または暖房運転の動作が選択的に確立される。冷暖房確立部２１１には室外機４０が接続される。冷暖房確立部２１１は、図２の圧縮機４３や膨張弁４５、四方弁４２の動作を制御する。こうした制御にあたって冷暖房確立部２１１は圧縮機４３や膨張弁４５、四方弁４２に制御信号を供給する。例えば四方弁４２では制御信号の働きにより弁の位置が切り替えられる。
【００２２】
また、制御ユニット２１は、風向制御手段としての本体ユニット制御ブロック２１２およびファンユニット制御ブロック２１３を備える。本体ユニット制御ブロック２１２は、図２の本体ユニット２６３の動作を制御する。本体ユニット制御ブロック２１２は、メインファン制御部２１２１、上下風向板制御部２１２２および左右風向板制御部２１２３を有する。メインファン制御部２１２１には、メインファン駆動源２２の動作を制御する。メインファン制御部２１２１によって制御されたメインファン駆動源２２は、メインファン２６５の始動や停止、回転数の制御を実行する。上下風向板制御部２１２２には、本体ユニット２６３の上下風向板駆動源２３の動作を制御する。上下風向板制御部２１２２によって制御された上下風向板駆動源２３は、上下風向板３１ａ、３１ｂの向きを制御する。左右風向板制御部２１２３は、左右風向板駆動源２４の動作を制御する。左右風向板制御部２１２３によって制御された左右風向板駆動源２４は、不図示の左右風向板の向きを制御する。
【００２３】
また、ファンユニット制御ブロック２１３は、左ファンユニット２６１と右ファンユニット２６２の動作を制御する。ファンユニット制御ブロック２１３は、サイドファン制御部２１３１、筐体姿勢制御部２１３２および左右風向板制御部２１３３を有する。サイドファン制御部２１３１は、左サイドファン駆動源２６１１と右サイドファン駆動源２６２１の動作を個別に制御する。サイドファン制御部２１３１によって制御された左サイドファン駆動源２６１１と右サイドファン駆動源２６２１は、サイドファン２６６の始動や停止、回転数の制御を実行する。筐体姿勢制御部２１３２は、左ファンユニット２６１と右ファンユニット２６２のファン筐体駆動源２６１２、２６２２の動作を制御する。筐体姿勢制御部２１３２によって制御されたファン筐体駆動源２６１２は、左サイドファン筐体３３１の向きを制御し、ファン筐体駆動源２６２２は、右サイドファン筐体３３２の向きを制御する。左右風向板制御部２１３３は、左右風向板駆動源２６１３、２６２３の動作を制御する。左右風向板制御部２１３３によって制御された左右風向板駆動源２６１３、２６２３は、左右風向板３４１ａ、３４２ａの向きを制御する。
【００２４】
さらに、制御ユニット２１には、リモコン１０との間で双方向通信を行うためのリモコン送受信部６１が接続され、リモコン１０から無線で指令信号が供給される。この指令信号は、例えば空気調和機の動作モードや設定室温を特定する。指令信号には、リモコン１０の操作に応じて動作モードや設定室温が記述される。動作モードには例えば「冷房運転」「暖房運転」「除湿運転」「送風運転」などが挙げられる。リモコン送受信部６１は、受信した指令信号を出力する。指令信号は冷暖房確立部２１１、本体ユニット制御ブロック２１２およびファンユニット制御ブロック２１３にそれぞれ供給される。冷暖房確立部２１１、本体ユニット制御ブロック２１２およびファンユニット制御ブロック２１３は、指令信号で特定される動作モードや設定室温に応じて動作する。
【００２５】
また、制御ユニット２１には、室内機２０のメインファン用の吸込口３８に取り付けられた室温センサ６２が接続され、室温センサ６２で検出された温度が、ユーザが設定した温度になるように本体ユニット制御ブロック２１２によって空調制御を行う。
【００２６】
また、制御ユニット２１には、室内機２０に取り付けられた人感センサ６３が接続され、人感センサ６３は、在室者の存在や在室者の位置を検知する。検知結果に応じて人感センサ６３は、検知信号を出力する。検知信号で在室者の有無や位置は特定される。検知信号は、制御ユニット２１に供給される。冷暖房確立部２１１、本体ユニット制御ブロック２１２およびファンユニット制御ブロック２１３は、制御の実行にあたって、検知信号で特定される在室者の有無や位置を参照することができる。
【００２７】
また、制御ユニット２１には、室内熱交換器２６４の温度を検出する室内熱交換器温度センサ６４が接続されている（図２参照）。この室内熱交換器温度センサ６４は、既存の空気調和機において、冷凍回路の制御に用いられているものであり、本実施例ではこの既存の温度センサを利用するため、新たな構成を追加する必要はない。暖房運転が開始されると、室内熱交換器２６４の温度が所定の温度（暖気を吹出せる温度）以下の場合、室内熱交換器２６４の所定の温度まで達するまでメインファン２６５による送風を停止または、微風で水平方向に吹出す暖機運転を行い、冷凍回路の冷媒による熱エネルギーによって室内熱交換器２６４が所定の温度以上になると暖房運転（メインファン２６５からの送風を下方方向にする）に移る。
【００２８】
なお、制御ユニット２１は、例えばマイクロプロセッサユニット（ＭＰＵ）といった演算処理回路で構成しても良い。演算処理回路には、例えば不揮発性のメモリを内蔵したり、外付けしたりすることもできる。メモリには所定の制御プログラムを格納することができ、演算処理回路が制御プログラムを実行することで制御ユニット２１として機能させることができる。
【００２９】
本実施形態に係る空気調和機の特徴は、制御ユニット２１が暖房運転開始から室内熱交換器温度センサ６４により室内熱交換器２６４の温度を検出し、室内熱交換器２６４が所定の温度になるまでサイドファン２６６の動作を停止させる。また、制御ユニット２１は、室内熱交換器２６４が所定の温度になると、メインファン２６５の動作に連動させてサイドファン２６６の運転を開始させる。さらに、制御ユニット２１は、暖房運転開始から室内熱交換器２６４の温度が所定の温度になるまでの間、吸込口３８から取り込んだ室内空気を室内熱交換器に通過させてメインファン２６５からの送風を微風で水平方向に吹き出して室温を監視する暖機運転を行い、室内熱交換器２６４が所定の温度になると、メインファン２６５からの暖気を下方へ吹き出し、サイドファン２６６を動作させて室内空気を攪拌する。なお、サイドファン２６６による室内空気の気流を、メインファン２６５による暖気の気流より上にすることで、室内空気で暖気を上から押さえつけて、ユーザがいる部屋の下部に暖気を留めるように暖房運転モードの気流制御が行われる。
【００３０】
図４は、暖房運転開始から室内熱交換器の温度が所定の温度に到達するまでのメインファン２６５による気流状態を示す空気調和機の斜視図であり、図５は、暖房運転開始から室内熱交換器の温度が所定の温度に到達した後にメインファン２６５とサイドファン２６６が連動して動作する気流状態を示す空気調和機の斜視図である。以下、図４と図５を用いて各気流状態を説明する。
【００３１】
（室内熱交換器の所定の温度到達前の気流状態）
図４は、空気調和機が暖房運転の開始時に、サイドファン２６６の動作を停止し、室内熱交換器２６４の温度が所定の温度に到達するまでメインファン２６５による気流状態を示している。ここでは、所定の温度としては、人が暖かさを感じられる人の体温に近い３７℃に設定したが、これに限定されず、室内熱交換器２６４を通過した室内空気が、人にとって冷たいと感じない温度になるような室内熱交換器２６４の温度とすればよい。そこで、暖房運転開始時の暖気運転中は、室内熱交換器２６４の温度も低く、室温も低いため、室内空気を攪拌するサイドファン２６６を動作させると肌寒く感じるおそれがあるため、図４に示すように、サイドファン２６６は動作させない。
【００３２】
そして、メインファン２６５は、上下風向板３１ａ、３１ｂを水平とし、室内熱交換器２６４に室内空気を通過させて暖められた暖気を水平方向に吹き出し（メインファン気流３０１）、室内機２０の上部に設けられた吸込口３８から取り込んで循環させることで、室温の監視ができる。室温によっては、早く暖房運転モードに移行することが可能となる。この時におけるメインファン気流３０１は、微風で水平に吹出し人７２に気流を当てないため、肌寒さを感じさせることはない。
【００３３】
（室内熱交換器の所定の温度到達後の気流状態）
図５−１は、空気調和機が暖房運転を開始してから室内熱交換器２６４の温度が所定の温度（ここでは、３７℃）に到達すると、メインファン２６５の上下風向板３１ａ、３１ｂを下に向けてメインファン気流３０１を吹き出すと同時に、左ファンユニット２６１および右ファンユニット２６２を水平方向から下向きに４５°程度回動させ、メインファン気流３０１に対して左サイドファン気流３４１１と右サイドファン気流３４２１とを左右方向から例えば１０°ずつ内側に向けて（図５−２参照）、メインファン気流３０１を上から押さえ付けるように吹き出している。このように、空気調和機が暖房運転を開始し、室内熱交換器２６４の温度が所定の温度まで上がった時点で、メインファン気流３０１と、左サイドファン気流３４１１および右サイドファン気流３４２１とを組み合わせることにより、暖房運転に適した気流制御を行うことができる。
【００３４】
次に、本実施例の空気調和機の動作を図６のフローチャートを用いて説明する。図６は、本発明の一実施例に係る空気調和機の動作を説明するフローチャートである。
【００３５】
空気調和機のユーザは、図１に示すリモコン１０を使って室内機２０に対して運転開始の操作を行う。ここで、室内機２０の制御ユニット２１は、運転モードが暖房運転モードか否かを判断し（ステップＳ１００）、暖房運転モードであれば（ステップＳ１００でＹｅｓ）、運転開始時か否かを判断する（ステップＳ１０１）。制御ユニット２１は、暖房運転モードであり、かつ運転開始時と判断すると（ステップＳ１０１でＹｅｓ）、図４のようにサイドファンを停止したまま、図４で示す空気調和機の吸込口３８から取り込んだ室内空気をメインファン２６５により微風で水平方向に吹き出す暖機運転が行われる（ステップＳ１０２）。
【００３６】
制御ユニット２１は、室内熱交換器温度センサ６４を用いて室内熱交換器２６４の温度を検出していて、室内熱交換器２６４が所定の温度である３７℃以上になったか否かを判断する（ステップＳ１０３）。室内熱交換器２６４が所定の温度以上になっていなければ（ステップＳ１０３でＮｏ）、ステップＳ１０２に戻って暖機運転を継続する。
【００３７】
また、ステップＳ１０３で室内熱交換器２６４が所定の温度以上になった場合（ステップＳ１０３でＹｅｓ）、制御ユニット２１は、暖房運転の気流モードで運転を開始する。つまり、制御ユニット２１は、メインファン２６５からの暖気の風向を下向きにし、予め設定された風量にして吹き出すとともにサイドファンを動作させる。この時のサイドファンの気流は、図５のようにメインファン気流３０１をサイドファン２６６の左サイドファン気流３４１１と右サイドファン気流３４２１で上から押さえ込むように吹き出す（ステップＳ１０４）。
【００３８】
続いて、制御ユニット２１は、運転停止か否かを判断し（ステップＳ１０５）、運転停止でなければ（ステップＳ１０５でＮｏ）、ステップＳ１００に戻り、上記処理が繰り返されるが、運転停止であれば（ステップＳ１０５でＹｅｓ）、運転を終了する。また、上記ステップＳ１０１において、運転開始時でなければステップＳ１０４に移行し（ステップＳ１００でＮｏ）、暖房運転の気流モードでの運転が行われる。
【００３９】
さらに、上記ステップＳ１００において、運転モードが暖房運転モード以外の冷房、除湿などの運転モードの場合は（ステップＳ１００でＮｏ）、ステップＳ１０６でそれぞれの運転モードにおける運転処理が行われる（ステップＳ１０６）。他の運転モードでの運転処理中に運転モードが変更されると（ステップＳ１０７でＹｅｓ）、ステップＳ１００に戻り、上記処理が繰り返される。また、ステップＳ１０７で運転モードの変更がない場合（ステップＳ１０７でＮｏ）、制御ユニット２１は、運転停止か否かを判断し（ステップＳ１０８）、運転停止でなければ（ステップＳ１０８でＮｏ）、ステップＳ１０６に戻り、上記処理が繰り返されるが、運転停止であれば（ステップＳ１０８でＹｅｓ）、運転を終了する。
【００４０】
このように、本実施例に係る空気調和機にあっては、暖房運転開始時に室内熱交換器がまだ暖まっていない間は、室内熱交換器が所定の温度になるまで暖機運転を行い、暖機気運転中は、攪拌機能があるサイドファンを停止させる。この時、メインファンの運転を停止させて気流を起こさないようにする。もしくは、室温の監視のためにメインファンを運転させる場合には、人７２に気流を当てないように送風を水平方向に吹き出させるので肌寒さを感じさせることはない。
【００４１】
さらに、本実施例に係る空気調和機にあっては、暖房運転開始後、室内熱交換器が所定の温度に到達すると、メインファン２６５にサイドファン２６６を連動して動作させ、暖房運転モードに適した気流制御により暖房運転を行うことができる。
【産業上の利用可能性】
【００４２】
以上のように、本発明にかかる空気調和機は、空気調和機の室内機に複数の吹出口が配置され、各吹出口から吹き出される気流の風量と風向とを個別に調節可能な空気調和機に有用であり、特に暖房運転開始時に室内熱交換器の温度が低い場合であっても適切な運転を行うことで、ユーザが肌寒さを感じさせないようにした空気調和機である。
【符号の説明】
【００４３】
１０  リモコン
２０  室内機
２１  制御ユニット
２１１  冷暖房確立部
２１２  本体ユニット制御ブロック
２１２１  メインファン制御部
２１２２  上下風向板制御部
２１２３  左右風向板制御部
２１３  ファンユニット制御ブロック
２１３１  サイドファン制御部
２１３２  筐体姿勢制御部
２１３３  左右風向板制御部
２２  メインファン駆動源
２３  上下風向板駆動源
２４  左右風向板駆動源
２７  主筐体
２８  筐体本体
２９  外装パネル
３０  中央吹出口
３０１  メインファン気流
３０ａ  前端
３０ｂ  後端
３１ａ、３１ｂ  上下風向板
３２ａ、３２ｂ、３５  水平軸線
３６  サイドパネル
３７  側面吸込口
３８  吸込口
４０  室外機
４１  冷凍回路
４２  四方弁
４２ａ  第１口
４２ｂ  第２口
４２ｃ  第３口
４２ｄ  第４口
４３  圧縮機
４３ａ、４３ｂ  吐出管
４４  室外熱交換器
４５  膨張弁
４６  室外ファン
５０  冷媒管
６１  リモコン送受信部
６２  室温センサ
６３  人感センサ
６４  室内熱交換器温度センサ
７０  壁面
７１  床面
７２  人
２６１  左ファンユニット
２６１１  左サイドファン駆動源
２６１２  ファン筐体駆動源
２６１３  左右風向板駆動源
２６２  右ファンユニット
２６２１  右サイドファン駆動源
２６２２  ファン筐体駆動源
２６２３  左右風向板駆動源
２６３  本体ユニット
２６４  室内熱交換器
２６５  メインファン
２６６  サイドファン
３３１  左サイドファン筐体
３３２  右サイドファン筐体
３４１  左吹出口
３４１ａ  左右風向板
３４１１  左サイドファン気流
３４２  右吹出口
３４２ａ  左右風向板
３４２１  右サイドファン気流
【図１】
2014173780.tif 000003
【図２】
2014173780.tif 000004
【図３】
2014173780.tif 000005
【図４】
2014173780.tif 000006
【図５−１】
2014173780.tif 000007
【図５−２】
2014173780.tif 000008
【図６】
2014173780.tif 000009